Podtech/llm-jp-corpus-v4-ja_patent huggingface dataset:
(57)【要約】      （修正有）【課題】特に繊維素材及び薄膜を粘着して作成する軟質複合材料を提供する。【解決手段】軟質複合材料は、繊維素材１０と、可撓性を備え、該繊維素材の一側に被着される第一薄膜４０と、可撓性を備え、該繊維素材における第一薄膜４０と反対する側に被着される第二薄膜５０と、を有することから、平坦な表面を備える製品だけではなく、表面に多くの湾曲形状を備える製品に付着してもでき、美観性及び実用性に優れる。【選択図】図１
0003192921.tif 000002
【実用新案登録請求の範囲】
【請求項１】
繊維素材と、
可撓性を備え、前記繊維素材の一側に被着される第一薄膜と、
可撓性を備え、前記繊維素材における第一薄膜と反対する側に被着される第二薄膜と、を有することを特徴とする軟質複合材料。
【請求項２】
前記第一薄膜が第一粘着層によって繊維素材に被着されることを特徴とする請求項１に記載の軟質複合材料。
【請求項３】
前記第二薄膜が第二粘着層によって繊維素材に被着されることを特徴とする請求項２に記載の軟質複合材料。
【考案の詳細な説明】
【技術分野】
【０００１】
本考案は、特に繊維素材及び薄膜を粘着して作成する軟質複合材料に関するものである。
【背景技術】
【０００２】
既存の硬質複合材料は、通常にスーツケースや携帯電話のケースなどのものに使用され、光沢タイプや、マットタイプ、織り柄タイプなどの模様を有することから、製品の美観性に優れる。
図２に示すように、既存の硬質複合材料の加工方法は、まず繊維素材７０及び樹脂層８０を備え、該樹脂層８０を均一に繊維素材の一側に塗布して硬化させると、繊維素材７０の一側に被着されて結合することができる。
【考案の概要】
【考案が解決しようとする課題】
【０００３】
しかしながら、既存の硬質複合材料は、可撓性を有しないので、再加工をすることが難しく、表面に多くの湾曲状を構成している物に被着することも難しくて、市場上の需要に応じられない。
【課題を解決するための手段】
【０００４】
本考案に係る軟質複合材料は、親骨と、受け骨と、細長状を呈する枢設骨とを有するものであって、該枢設骨は、一端が前記親骨に設けられたリンク部材に枢設されて且つ他端が前記受け骨の外端に枢設されるものである。
【０００５】
前記リンク部材には、タブが形成され、
前記枢設骨には、一端に第一クリップ部が形成されて且つ他端に第二クリップ部が形成されて、前記第一クリップ部は、前記リンク部材のタブの両側に位置するように設けられることが好ましい。
【０００６】
前記受け骨の外端が前記枢設骨の他端から枢設骨の長さのほぼ１/４である箇所に枢設されることが好ましい。
【０００７】
前記枢設骨は、金属薄板を折って構成されるものであってもよい。
【考案の効果】
【０００８】
上述した技術手段によって、本考案に係る軟質複合材質は、可撓性を備えると共に、第一薄膜及び第二薄膜が柔らかくて触り心地がよく、再加工を施すことが可能であり、また、製品の表面に縫合したり貼合したりすることも可能であり、平坦な表面を有する製品だけではなく、製品の表面に多くの湾曲形状を有しても付着することができる。
【図面の簡単な説明】
【０００９】
【図１】本考案に係る軟質複合材料の部分断面を示す斜視図である。
【図２】従来の硬質複合材料の断面図である。
【考案を実施するための形態】
【００１０】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１１】
図１に示すように、本考案に係る軟質複合材料は、繊維素材１０、第一粘着層２０、第二粘着層３０、第一薄膜４０、第二薄膜５０を有し、その内、該繊維素材１０は、炭素繊維や、ガラス繊維、アラミド繊維などの繊維から織っている有機化学繊維布または無機化学繊維布であり、高剛性及び高靱性のメリットを有する
【００１２】
前記第一粘着層２０及び第二粘着層３０はそれぞれ、繊維素材１０の両側に粘着され、前記第一薄膜４０は、可撓性を備え、第一粘着層２０における繊維素材１０と反対する側に被着され、前記第二薄膜５０は、可撓性を備え、第二粘着層３０における繊維素材１０と反対する側に被着される。
【００１３】
前記第一薄膜４０及び第二薄膜５０は、ＰＵ（ポリウレタン）や、ＴＰＵ（熱可塑性ポリウレタン）、ＰＥ（ポリエチレン）、ＰＣ（ポリカーボネート）、ＰＥＴ（ポリエチレンテレフタレート）、ＥＰＯＸＹ（エポキシ樹脂）、ＰＭＭＡ（ポリメチルメタクリレートメチル）、ＰＶＣ（ポリ塩化ビニル）などの材質からなる。また、第一薄膜４０と第二薄膜５０とは、同一の材質からなってもよく、異なる材質からなってもよい。
【００１４】
また、その第一薄膜４０及び第二薄膜５０はそれぞれ、粘着手段によって繊維素材１０の両側に結合される。
その第一薄膜４０及び第二薄膜５０はそれぞれ、熱粘着性を備える時に、結合ローラーによって加熱しながら押し合わせ、その第一薄膜４０及び第二薄膜５０がそれぞれ熱溶して繊維素材１０に粘着することができる。一方、その第一薄膜４０及び第二薄膜５０はそれぞれ、熱粘着性を備えない時に、該第一薄膜４０に第一粘着層２０が設置され、該第一薄膜４０が第一粘着層２０によって繊維素材１０の一側に粘着され、該第二薄膜５０には第二粘着層３０が設置され、該第二薄膜５０が第二粘着層３０によって繊維素材１０の他側に粘着される。
【００１５】
上述した構造を有すれば、本考案に係る軟質複合材料は、可撓性を備え、触り心地が柔らかくて、再加工を施すことが可能であり、また、製品の表面に縫合したり貼合したりすることも可能であり、平坦な表面を有する製品だけではなく、製品の表面に多くの湾曲形状を有しても貼合することができる。さらに、その繊維素材１０に第一薄膜４０及び第二薄膜５０を付着しているので、外観上の美観性に優れ、繊維の強度性にも向上できる。
【符号の説明】
【００１６】
１０  繊維素材
２０  第一粘着層
３０  第二粘着層
４０  第一薄膜
５０  第二薄膜
７０  繊維素材
８０  樹脂層
【図１】
0003192921.tif 000003
【図２】
0003192921.tif 000004
(57)【要約】      （修正有）【課題】根茎類野菜の乾燥を行う際に乾燥シートが送風機による負圧により吸い寄せられ、つぶれて風の通りが悪くなることを容易に防ぐことができ、効率的に吸引を行うことができる吸引保護枠装置を提供する。【解決手段】根茎類野菜が設置されたコンテナ３と、前記コンテナ３が格納された乾燥シート４と、前記乾燥シート４に設置された送風機６と、前記コンテナ３と前記送風機６との間に吸引保護枠５を有することを特徴とする。【選択図】図１
0003192922.tif 000002
【実用新案登録請求の範囲】
【請求項１】
根茎類野菜をコンテナ（3）に入れ、乾燥シート（4）内に送風機（6）にて通風して行う乾燥方法において、送風機（6）の吸引力により、乾燥シート（4）がつぶれて風の通りが悪くなることを防ぐことを特徴とする吸引保護枠装置。
【考案の詳細な説明】
【技術分野】
【０００１】
本考案は、根茎類野菜の乾燥装置において、シート部分の形状保持装置に関する。
【背景技術】
【０００２】
従来、根茎類野菜、例えば、にんにくの乾燥は、にんにくをネットに入れた物を室内の棚に並べ、扇風機の風を当てながら乾燥していた。また近年では、ビニールハウス内に温風機を設置し、この中でコンテナに入れたにんにくをシートで覆い、送風機によりシートを通して湿った空気を引き出す、又は、シート内に乾燥空気を送り込む乾燥方法が主流となってきている。
【考案の概要】
【考案が解決しようとする課題】
【０００３】
本考案はシートを利用した根茎類野菜、例えば、にんにくの乾燥に関するものであり、ビニールハウス1内に温風機2を設置し、この中でコンテナ3に入れたにんにくを乾燥シート4で覆い、送風機6によりシートを通して湿った空気を引き出す際に、乾燥シート4が送風機による負圧により吸い寄せられ、つぶれて風の通りが悪くなってしまうため、シート乾燥の支障になっている。
【課題を解決するための手段】
【０００４】
ビニールハウス1内に温風機2を設置し、この中でコンテナ3に入れた根茎類野菜、例えば、にんにくを乾燥シート4で覆い、送風機6により乾燥シートを通して湿った空気を引き出す際に、乾燥シート4シートが送風機による負圧により吸い寄せられるので、つぶれないよう、コンテナ3と送風機6の間に、パイプ又は角材などをいれて保護するようにしている。
一方本考案の吸引保護枠5は、図に示す通り、送風機6の吸入フランジから四方に突っ張り棒5cが広がり、積まれたコンテナ3の高さ、幅に合わせ、寸法の調整を可能としているため、乾燥シート4が送風機による負圧により吸い寄せられ、つぶれて、風の通りが悪くなることを防ぐことができる。
【考案の効果】
【０００５】
ビニールハウス1内に温風機2を設置し、この中でコンテナ3に入れた根茎類野菜、例えば、にんにくを乾燥シート4で覆い、送風機6により乾燥シートを通して湿った空気を引き出す際に、シートが送風機による負圧により吸い寄せられるので、つぶれないよう、コンテナ3と送風機6の間に、パイプ又は角材などをいれて保護するようにしている。
本装置は、根茎類野菜の乾燥を行う際に乾燥シート4が送風機による負圧により吸い寄せられ、つぶれて風の通りが悪くなることを容易に防ぐことができ、効率的に吸引を行うことができる。
【図面の簡単な説明】
【０００６】
【図１】は根茎類野菜、例えば、にんにくの乾燥（吸引方式）の全体図を示す。
【図２】は本考案品の詳細図を示す。送風機6の吸入（吐出）フランジから四方に突っ張り棒5cが伸び、高さ調整ねじ5a、幅調整ねじ5bにより、積まれたコンテナ3と同等の大きさまで拡縮調節することができるため、乾燥シート4が送風機による負圧により吸い寄せられ、つぶれて風の通りが悪くなることを防ぐことが可能となる。
【考案を実施するための形態】
【０００７】
ビニールハウス1内に温風機2を設置し、根茎類野菜、例えば、にんにくを入れたコンテナ3を横２枚、高さ７段、奥行き１５列で積み、本考案である吸引保護枠5を取り付けた送風機6を設置し、乾燥シート4を送風機6のフランジ部から吸引保護枠5、コンテナ3と覆いかぶせるようにする。
【実施例】
【０００８】
図１はにんにくの乾燥装置（吸引方式）の全体図を示す。
図２は本発明の実施例である。
【符号の説明】
【０００９】
１…ビニールハウス
２…温風機
３…コンテナ
４…乾燥シート
５…吸引保護枠
５a…高さ方向調整ねじ
５b…幅方向調整ねじ
５c…突っ張り棒
６…送風機
７…送風機用架台
８…排気ダクト
【図１】
0003192922.tif 000003
【図２】
0003192922.tif 000004
【手続補正書】
【提出日】平成26年5月17日(2014.5.17)
【手続補正１】
【補正対象書類名】図面
【補正対象項目名】図１
【補正方法】変更
【補正の内容】
【図１】
0003192922.tif 000005
【手続補正２】
【補正対象書類名】図面
【補正対象項目名】図２
【補正方法】変更
【補正の内容】
【図２】
0003192922.tif 000006
【手続補正書】
【提出日】平成26年7月9日(2014.7.9)
【手続補正１】
【補正対象書類名】実用新案登録請求の範囲
【補正対象項目名】請求項１
【補正方法】変更
【補正の内容】
【請求項１】
根茎類野菜が設置されたコンテナ(3)と、前記コンテナ(3)が格納された乾燥シート(4)と、前記乾燥シート(4)に設置された送風機(6)と、前記コンテナ(3)と前記送風機(6)との間に吸引保護枠(5)を有することを特徴とする吸引保護枠装置。
(57)【要約】      （修正有）【課題】電磁的雑音の多い環境での通信の途切れ、文字化けをなくすことができるＵＳＢ−シリアル変換ケーブルを提供する。【解決手段】ＵＳＢ−シリアル変換部９を電磁的雑音の影響を受けにくい金属シェル５、６で覆うことにより、良好な通信を可能とする。【選択図】図２
0003192924.tif 000002
【実用新案登録請求の範囲】
【請求項１】
ＵＳＢ−シリアル変換部を、電磁的雑音を遮断するシェルで覆うことを特徴とするＵＳＢ−シリアル変換ケーブル。
【考案の詳細な説明】
【技術分野】
【０００１】本考案は、電磁的ノイズに強いＵＳＢ−シリアル変換ケーブルに関するものである。
【背景技術】
【０００２】ＵＳＢインターフェース以外のシリアルインターフェースを持たないコンピュータとＵＳＢインターフェース以外のシリアルインターフェースを持つ機器の間で通信するためにＵＳＢインターフェースを使い、ＵＳＢ信号をＵＳＢ信号以外のシリアル信号に変換して通信する方法が用いられている。
ＵＳＢ信号をＵＳＢ信号以外のシリアル信号に変換して通信する装置をＵＳＢ−シリアル変換ケーブルと称している。
ＵＳＢ信号をＵＳＢ信号以外のシリアル信号に変換する部分をＵＳＢ−シリアル変換部と呼ぶ。
実用のＵＳＢ−シリアル変換ケーブルは、電磁的雑音の少ない環境ではＵＳＢ−シリアル変換部が電磁的雑音の影響を受けず十分に実用に耐えるものであった。【０００３】しかし、電磁的雑音の多い環境ではＵＳＢ−シリアル変換部が電磁的雑音を受け、通信が途切れる、信号が正しく変換されずに文字化けするなどの問題があった。【０００４】通信の途切れ、文字化けは、通信にとって大きな障害である。
具体的には、ＵＳＢ−シリアル変換ケーブルに接続されたコンピュータや機器が誤動作を起こす、送信データや受信データが欠けるなどの問題があった。【０００５】図１は、ＵＳＢ−シリアル変換ケーブルの外観例を示したものであり、１はＵＳＢ端子、２はＵＳＢケーブル、３は内部にＵＳＢ−シリアル変換部を収納するシェル、４はシリアル端子を表す。
３のシェルがプラスチックのため、電磁的雑音に弱いという欠点があった。
【考案の概要】
【考案が解決しようとする課題】
【０００６】解決しようとする問題点は、電磁的雑音の多い環境での通信の途切れ、文字化けをなくすることである。
【課題を解決するための手段】
【０００７】本考案は、ＵＳＢ−シリアル変換部を収納するシェルに金属製シェルを用い、ＵＳＢ−シリアル変換部に電磁的雑音の影響をなくすることを最も主要な特徴とする。
【考案の効果】
【０００８】本考案のＵＳＢ−シリアル変換ケーブルは、ＵＳＢ−シリアル変換部を収納するシェルに金属製シェルを用いるため、ＵＳＢ−シリアル変換部に電磁的雑音が影響しなので、通信の途絶えや文字化けが生じないという利点がある。
【図面の簡単な説明】
【０００９】
【図１】図１はＵＳＢ−シリアル変換ケーブルを示した全体図面代用写真である。（実施例１）
【図２】図２は金属シェルとその内部を示した部分図面代用写真である。（実施例２）
【考案を実施するための形態】
【００１０】電磁的雑音がＵＳＢ−シリアル変換部に影響を及ぼさないという目的を、最小の部品点数で実現した。
【実施例１】
【００１１】図１は、本考案装置の１実施例の図であって、１はＵＳＢ端子、２はＵＳＢケーブルで図２の７と同じであり、３はシェルで、図２の５、６と同じであり、３の内部に図２の９が収納され、４はシリアル端子で、図２の８とおなじである。
【実施例２】
【００１２】図２は、５と６は金属シェルで、７はＵＳＢケーブルで、８はシリアル端子で、９はＵＳＢ−シリアル変換部である。
金属シェル５と６でＵＳＢ−シリアル変換部９を覆うことで電磁的雑音を遮断する。
【産業上の利用可能性】
【００１３】ＵＳＢ−シリアル変換部を覆う金属シェルを鍍金したプラスチックに変えるか金属の薄い板で覆うことで、軽量化が不可欠な用途にも適用できる。
【符号の説明】
【００１４】１  ＵＳＢ端子
２  ＵＳＢケーブル
３  金属シェル
４  シリアル端子
５  金属シェル上部
６  金属シェル下部
７  ＵＳＢケーブル
８  シリアル端子
９  ＵＳＢ−シリアル変換部
【図１】
0003192924.tif 000003
【図２】
0003192924.tif 000004
(57)【要約】      （修正有）【課題】アウトドア用コンロを使用して風の吹いている屋外で調理をするときに、どちらから風が吹いても、急に風向きが変わっても風向きを気にする事なく調理が可能とし、着火するときにガスが滞留し爆発する危険性が無い風防を提供する。【解決手段】３枚又は４枚の矩形上のパンチングメタル板をアウトドア用コンロ２の五徳３の周囲を壁状に覆うように配置し、パンチングメタル板同士それぞれ接続し、アウトドア用コンロの五徳受け金具にパンチングメタル板同士の接続部をつり下げるようにし、パンチングメタル板同士の接続部及び１枚又は２枚のパンチングメタル板中央部を蝶番状とする。コンロ周辺地表面にガスが溜まら無く、コンロの調理部だけを覆うことで前後左右方向からの風を遮り調理を可能とし、軽量コンパクトに折り畳める事で、常にアウトドア用コンロと保管及び持ち運びやすさを可能とする。【選択図】図１
0003192926.tif 000002
【実用新案登録請求の範囲】
【請求項１】
パンチングメタルを使用した前後左右４方向風防でアウトドア用コンロに装着され、アウトドアでの使用時に前後左右４方向からの風を遮る事を特徴とする軽量でコンパクトに折り畳める風防。
【考案の詳細な説明】
【技術分野】
【０００１】
本発明は、アウトドア用コンロを屋外で使用する事を容易にする風防に関するものである。
【背景技術】
【０００２】
アウトドア調理用具の中で、３方向の風をガードする物はあるが、実用の３方向ガード風防は、屋外で使用する際風向きを考えて使用するものであり、常に風の方向を調節すれば実用上十分であった。
しかし、実際の野外での風向きは周囲の障害物や風の強さで一定ではなく、前後左右４方向から風が来る事もあり、３方向の風防を使用している場合、風向きが変わった時風防の向きを変えなければならないという欠点があった。
アウトドア用コンロを屋外で使用する用途において、この欠点は調理操作性に関して大きな障害である。具体的には、風向を考えて設置したり、常に風向きが障害にならない様位置の調整が必要であったり、あるいは、突然風向きの変化によって火が消えてしまうなどの問題があった。
この改善策として、前後左右４方向の風向きを防ぐ方法がある。
【先行技術文献】
【特許文献】
【０００３】
【特許文献１】無し
【非特許文献】
【０００４】
【非特許文献１】無し
【考案の概要】
【考案が解決しようとする課題】
【０００５】
解決しようとする問題点は、前後左右４方向の風向きを防ぐ為にアウトドア用コンロ周囲を金属板で囲うと、ガスコンロでは着火時囲った中にガスが留まった場合爆発する危険となる点である。  
【課題を解決するための手段】
【０００６】
本発明は、前後左右４方向の風向きを防ぐ為にアウトドア用コンロ上を金属板で囲う際、アウトドア用コンロ周囲にガスが溜ら無くし、着火時爆発する危険を無くす事も主要な特徴とする。
【考案の効果】
【０００７】
本発明の前後左右４方向風防は、パンチングメタル（穴あき金属板）を使用し、強い風の流れは遮り、弱い流れは通過させ、五徳受け金具に吊り下げる事により地面との距離が離れる為ガスの滞留が無くなり、着火時の爆発する危険を無くせるという利点がある。
【図面の簡単な説明】
【０００８】
【図１】図１はアウトドア用コンロに風防をセットした状態。１は風防、２はアウトドア用コンロ本体、３はコンロの五徳、４はガスボンベである。
【図２】図２はカセットコンロに風防をセットし、調理する状態。１は風防、２はアウトドア用トコンロ本体、４はガスボンべ、５は調理器具である。
【図３】図３はパンチングメタルを使用時、強い風の状態を示した説明図である。パンチングメタル板が風向きに対する面の説明図であり、空気力学上の、風が障害物に当たって通過する際、風下にローターが発生する状態を利用して風を防ぐ説明。
【図４】図４は風防を使用する為に展開した状態と、しまう為に折り畳む途中と、折り畳んだ状態を示した説明図である。
【考案を実施するための形態】
【０００９】
前後左右４方向からの風を防ぐという目的を、コンロの五徳（調理具受け金具部）周囲をパンチングメタル板を使用して適度の高さで囲い実現した。
【実施例】
【００１０】
本発明風防の実施例であって図３、Ａは強い風の時の風の流れの説明図、Bは弱い風の時の風の流れの説明図である。
【産業上の利用可能性】
【００１１】
アウトドアでアウトドア用コンロを使った調理がしやすくなり、図４のように各コーナーと二箇所又は一箇所の中央を丁番状にする事によって、コンパクトに折り畳める為、携帯条件の良いことが要となるので、アウトドア用コンロと同時保管及び軽量コンパクトなので持ち運びするのにおおいに役立つ。
【符号の説明】
【００１２】
１  パンチングメタル使用の前後左右４方向風防
２  アウトドア用ガスコンロ（市販品）
３  五徳（調理器具受け金具部）
４  ガスボンベ（市販品）
５  手鍋（調理器具）
６  パンチングメタル板の部分拡大図
７  パンチングメタル板の穴部分拡大図
８  パンチングメタル板の穴部分を通過する弱い風流
９  パンチングメタル板の穴部分を通過する強い風流
10  強い風が穴を通過する際に発生するローター
11  強い風が穴を通過する際に弱まった風  
12  吊下げ金具兼蝶番部の芯棒
13  長手方向に使用するパンチングメタル板
14  折り畳む為に半分の長さにしたパンチングメタル板
15  折り畳む為の蝶番部の芯棒
【図１】
0003192926.tif 000003
【図２】
0003192926.tif 000004
【図３】
0003192926.tif 000005
【図４】
0003192926.tif 000006
【手続補正書】
【提出日】平成26年7月8日(2014.7.8)
【手続補正１】
【補正対象書類名】実用新案登録請求の範囲
【補正対象項目名】全文
【補正方法】変更
【補正の内容】
【実用新案登録請求の範囲】
【請求項１】
３枚又は４枚の矩形上のパンチングメタル板をアウトドア用コンロの五徳部の周囲を壁状に覆うように配置し、パンチングメタル板同士それぞれ接続し、アウトドア用コンロの五徳受け金具にパンチングメタル板同士の接続部をつり下げるようにし、パンチングメタル板同士の接続部及び１枚又は２枚のパンチングメタル板中央部を蝶番状としたことを特徴とする風防。
(57)【要約】      （修正有）【課題】カバンとかカメラの肩掛けバンドが肩からすべり落ちるのや、ひったくりを防止する肩掛けバンド落下防止グリップを提供する。【解決手段】左右どちらかの肩に強力なグリップ付ハンドル１を開いて強力なハサミ３で肩の端を挟みカメラ肩掛けカバン等のバンドがすべり落ちないように防止する。【選択図】図１
0003192915.tif 000002
【実用新案登録請求の範囲】
【請求項１】
バンドがすべり落ちないように強力グリップハンドル（１）を開いて、強力ハサミ（３）で肩の布を挟み、虫柄とか花柄とか最近流行の物を飾って心を癒す。
【考案の詳細な説明】
【技術分野】
【０００１】この考案は、カバン、カメラ等のバンドが肩からすべり落ちとひったくり防止の強力グリップの考案である。
【背景技術】
【０００２】従来は、肩からバンドがすべり落ちるため上半身の姿勢が傾き、健康的にも悪くひったくりをされる危険があった。                        （特許文献１参照）
【先行技術文献】
【０００３】
【特許文献】
【特許文献】特開００００−００００００号会報
【考案の概要】
【考案が解決しようとする課題】
【０００４】従来の様に肩からバンドがすべり落ちないことと正しい姿勢で歩け健康的に良くひったくりに合わないようにする。
【課題を解決するための手段】
【０００５】肩からバンドがすべり落ちないように強力グリップ（１）を肩の布の部分に強力ハサミ（３）で止める。
【考案の効果】
【０００６】強力グリップを肩の布の部分にグリップすることでバンドのすべり落ちもなく正しい姿勢で歩け、健康にも良く、ひったくりされにくく花柄とか動物又は最近の流行の物を飾る。
【図面の簡単な説明】
【０００７】
【図１】虫柄を使ったインテリアの本考案の斜視図である。
【図２】虫柄を使ったインテリアの本考案の側面図である。
【考案を実施するための形態】
【０００８】本考案を実施するための形態について説明する。
強力グリップハンドル（１）を肩の布に強力グリップハサミ（３）で挟み、虫柄か花柄か最近流行の物を飾って楽しむ。
不要の時はバンドかカバンに挟んで飾っておけば良い。
【符号の説明】（１）  グリップハンドル
（２）  虫柄飾り
（３）  強力ハサミ
【図１】
0003192915.tif 000003
【図２】
0003192915.tif 000004
【手続補正書】
【提出日】平成26年6月25日(2014.6.25)
【手続補正１】
【補正対象書類名】実用新案登録請求の範囲
【補正対象項目名】全文
【補正方法】変更
【補正の内容】
【実用新案登録請求の範囲】
【請求項１】
左右どちらかの肩に強力なグリップ付ハンドル（１）を開いて強力なハサミ（３）で肩の端を挟みカメラ肩掛けカバン等のバンドがすべり落ちないように防止することを特徴とした、肩掛けバンド落下防止グリップ。
(57)【要約】      （修正有）【課題】手軽に脱着する事ができ、冬期の屋外駐車時に、窓ガラスに霜が付着して視界が遮られるのを防止できる自動車の窓ガラスを覆うマスクを提供する。【解決手段】ウインドマスク１の形状を、窓ガラスに合わせた大きさの台形とし、マスクの裏面の両端の縁の部分に、複数の磁石２を取り付ける。鉄板で構成された自動車の窓枠に固定されると、ガラス面と隙間が無いほどにピッタリと装着され、風で剥がれ落ちるのを防ぐと共に、霜、雪、氷の付着を防止できる。【選択図】図２
0003192917.tif 000002
【実用新案登録請求の範囲】
【請求項１】
冬期間、屋外に駐車した自動車の窓ガラスに、霜や雪が付着して視界を遮る事があります、窓ガラスの視界を確保するために使用します、車の窓を覆うマスクにおいて、マスクが強風で剥がれ落ちるのを防ぐために、図１、で示すように形状が台形を呈する、ウインドマスク（１）の裏面の縁の部分に、図２，で示す複数の磁石（２）を施し設けた、図４、で示す様に鉄板で構成する車の窓枠（３）に、磁石（２）を装着することにより、簡単にマスクを脱着出来る事を特徴とする自動車のウインドマスク（１）
【考案の詳細な説明】
【産業上の利用分野】
【０００１】  北国では冬期に屋外駐車をすると、自動車の窓ガラスに霜が付着して視界が遮られ、運転に支障を来す事があります、又、降雪による雪の付着で視界が遮られる事もあります、そのために特殊な用具を使用して雪を払い落としたり、窓ガラスに付着した霜を削り落とします、しかし、夜間の冷え込みで凍結する霜や雪を取り除くことは容易な事ではありません、窓ガラスの視界を取り戻すにはかなりの手間と時間を要します、
本考案は、この様な不便を解消するための、自動車の窓ガラスを覆うマスクを提供しようとするものである。
【従来の方法】
【０００２】  従来では冬期に屋外駐車をする場合、降雪や夜間の冷え込みが厳しいことが予測されますと、几帳面な人は窓ガラスに毛布を掛けたり、シートやダンボールで窓を覆います、しかし、風で剥がれ落ちたり、吹き飛んでしまうことがあります、そこで毛布やシートの端をドアに挟んだり、紐で縛ったりしますが思うようにうまく行きません、手間も掛かることから多くの人は、運転開始時にエンジンを始動し、車内を暖めて暖を取り視界を遮る霜や雪を溶かします、窓ガラスの視界を取り戻すためには時間も掛かり、無駄な燃料を消費することは言うまでもありません、
【考案が解決しようとする課題】
【０００３】  屋外駐車において自動車の窓ガラスに付着する、霜や雪で視界が遮られる現象をマスクで窓ガラスを覆うことにより防ぎたい、しかし、窓ガラスに被せたマスクが風によって剥がれ、吹き飛んでしまう事がありますので、その様な失態を防ぐと供に、誰もが簡単にマスクの脱着が出来るようにしたい。
【課題を解決するための手段】
【０００４】  車の窓を覆う本考案のウインドマスク（１）の形状は，図１で示すように窓ガラスの大きさに合わせた台形で、マスクの素材は薄くて強度のある防水シートを使用します、
窓ガラスに被せたウインドマスク（１）が、風で剥がれ落ちるのを防ぐための手段として、図２、で示すようにマスクの裏面の両端部に、複数の磁石（２）を施し設けました、図４、で示すように、ウインドマスク（１）を車の窓枠（３）に磁力で張り付ける事により、マスクが風で剥がれ落ちるのを防ぎます、
【考案を実施するための形態】
【０００５】  ウインドマスク（１）は、自動車のフロントガラス、又は、リアガラスに被せて使用します、マスクの裏面の両端に複数施し設けた磁石（２）は、鉄板で構成する窓枠（３）に磁力で張り付きます、窓ガラスは湾曲していますのでマスクの両端が固定されますと、ウインドマスク（１）は、ガラス面と隙間が無いほどにピッタリと装着する事ができます、風で剥がれ落ちることはありません、霜や雪はマスクの表面に付着しますので、マスクをはぎ取ることで，窓ガラスの視界が完璧に確保できます、ウインドマスク（１）の表面に付着した霜や雪は、マスクを軽く叩くと簡単に払い落とす事ができます。更に、窓ガラス上の雪が溶けて，夜間の寒さで凍り付きワイパーを氷で閉じ込める事もありますが、ウインドマスク（１）の装着により、凍り付く氷も簡単に取り除く事ができますので、ワイパーを痛めることがありません
【考案の効果】
【０００６】  本考案は上述の通り構成されているので次ぎに記載する四つの効果を奏する。
【０００７】  ▲１▼  ウインドマスク（１）は磁石（２）で張り付けられていますから、マスクの脱着が簡単にできます
【０００８】  ▲２▼  ウインドマスク（１）の表面に付着している霜や雪や氷は、マスクを剥がして軽く叩くと簡単に取り除くことができます
【０００９】  ▲３▼  溶けた雪が夜間の寒さで凍って，氷となってワイパーに絡み付き、ワイパーを痛めることを防ぐ事ができます、
【００１０】  ▲４▼  夏期の屋外駐車では車内の温度が異常な程に高くなります、ウインドマスク（１）を装着すると、太陽光線を遮りますので車内の温度を抑える事ができます、更に、目隠しとしての役目も合わせ持ちます。
【図面の簡単な説明】
【００１１】
【図１】  ウインドマスク（１）の平面図
【図２】  ウインドマスク（１）の裏面図
【図３】  ウインドマスク（１）の正面図
【図４】  ウインドマスク（１）の実施の形態を示す斜視図
【符号の説明】
【００１２】  １  ウインドマスク
２  磁石
３  窓枠
【図１】
0003192917.tif 000003
【図２】
0003192917.tif 000004
【図３】
0003192917.tif 000005
【図４】
0003192917.tif 000006
【手続補正書】
【提出日】平成26年6月26日(2014.6.26)
【手続補正１】
【補正対象書類名】実用新案登録請求の範囲
【補正対象項目名】全文
【補正方法】変更
【補正の内容】
【実用新案登録請求の範囲】
【請求項１】
冬期に屋外に駐車した自動車の窓ガラスに霜や雪が付着して、視界を遮る現象を防ぐために使用する車の窓ガラスを覆うウインドマスクにおいて、マスクが強風で剥がれ落ちるのを防止するために、ウインドマスク（１）の裏面の縁取りの部分に複数の磁石（２）を設けた事を特徴とする自動車のウインドマスク
(57)【要約】      （修正有）【課題】卓上カセットコンロを使用して風の吹いている屋外で調理をするときに、どちらから風が吹いても、急に風向きが変わっても風向きを気にする事なく調理が可能とし、着火するときに卓上カセットコンロ上にガスが滞留し爆発する危険性が無い４方向風防を提供する。【解決手段】４枚のパンチングメタル板を用いた４方向風防であって、ロの字形状に広げて卓上カセットコンロ２に装着することが可能であり、各コーナーと前記パンチングメタル板の内２枚の中央とを丁番状にする事によって、折り畳み可能に形成されたことを特徴とする。【選択図】図１
0003192918.tif 000002
【実用新案登録請求の範囲】
【請求項１】
パンチングメタルを使用した４方向風防で、卓上カセットコンロに装着され、屋外での使用に４方向からの風を遮ることを特徴とするコンパクトに折り畳める風防。
【考案の詳細な説明】
【技術分野】
【０００１】
本発明は、卓上ガスコンロを屋外で使用する事を容易にする風防に関するものである。
【背景技術】
【０００２】
アウトドア調理用具の中で、３方向の風をガードする物はあるが、実用の３方向ガード風防は、屋外で使用する際風向きを考えて使用するものであり、常に風の方向を調節すれば実用上十分であった。
しかし、実際の野外での風向きは周囲の障害物や風の強さで一定ではなく、４方向から風が来る事もあり、３方向の風防を使用している場合、風向きが変わった時コンロの向きを変えなければならないという欠点があった。
卓上ガスコンロを屋外で使用する用途において、この欠点は調理操作性に関して大きな障害である。具体的には、風向を考えて設置したり、常に風向きが障害にならない様位置の調整が必要であったり、あるいは、突然風向きの変化によって火が消えてしまうなどの問題があった。
この改善策として、４方向の風向きを防ぐ方法がある。
【先行技術文献】
【特許文献】
【０００３】
【特許文献１】無し
【非特許文献】
【０００４】
【非特許文献１】無し
【考案の概要】
【考案が解決しようとする課題】
【０００５】
解決しようとする問題点は、４方向の風向きを防ぐ為に卓上カセットガスコンロ上を金属板で囲うと、カセットコンロ上にガスが溜まり、着火時爆発する危険となる点である。
【課題を解決するための手段】
【０００６】
本発明は、４方向の風向きを防ぐ為に卓上カセットガスコンロ上を金属板で囲う際、カセットコンロ上にガスが溜ら無くし、着火時爆発する危険を無くす事も主要な特徴とする。
【考案の効果】
【０００７】
本発明の４方向風防は、パンチングメタル（穴あき金属板）を使用する事により強い風の流れは遮り、弱い流れは通過させるのでガスの滞留を無くし、着火時の爆発する危険を無くせるという利点がある。
【図面の簡単な説明】
【０００８】
【図１】図１はカセットコンロに風防をセットした状態。１は風防、２は卓上カセットコンロ本体、３はコンロの五徳、４はガスボンベ収納部である。
【図２】図２はカセットコンロに風防をセットし、調理する状態。１は風防、２は卓上カセットコンロ本体、４はガスボンベ収納部、５は調理具である。
【図３】図３はパンチングメタルを使用時、強い風の状態を示した説明図である。パンチングメタル板が風向きに対する面の説明図であり、空気力学上の、風が障害物に当たって通過する際、風下にローターが発生する状態を利用して風を防ぐ説明。
【図４】図４は風防を使用する為に広げた状態と、しまう為に折り畳む途中と、折り畳んだ状態を示した説明図である。
【考案を実施するための形態】
【０００９】
４方向からの風を防ぐという目的を、コンロの五徳（調理具受け部）に近い位置と高さでパンチングメタルを使用して実現した。
【実施例】
【００１０】
本発明風防の実施例であって図３は、強い風の時の風の流れの説明図、図４は、弱い風の時の風の流れの説明図である。
【産業上の利用可能性】
【００１１】
アウトドアでのカセットコンロを使った調理がしやすくなり、図４のように各コーナーと二箇所の中央を丁番状にする事によって、コンパクトに折り畳める為、携帯条件の良いことが要となるので、卓上カセットガスコンロと同時保管するのにおおいに役立つ。
【符号の説明】
【００１２】
１  パンチングメタル使用の４方向風防
２  卓上カセットガスコンロ（市販品）
３  五徳（調理具受け部）
４  ガスボンベ収納部
５  ヤカン（調理具）
６  パンチングメタル板の部分拡大図
７  パンチングメタル板の穴部分拡大図
８  パンチングメタル板の穴部分を通過する弱い風流
９  パンチングメタル板の穴部分を通過する強い風流
10  強い風が穴を通過する際に発生するローター
11  強い風が穴を通過する際に弱まった風
12  カセットボンベ側に使用するパンチングメタル板
13  蝶番部の芯棒
14  カセットボンベの反対側に使用するパンチングメタル板
15  折り畳む為に半分の長さにしたパンチングメタルの側板
【図１】
0003192918.tif 000003
【図２】
0003192918.tif 000004
【図３】
0003192918.tif 000005
【図４】
0003192918.tif 000006
【手続補正書】
【提出日】平成26年7月8日(2014.7.8)
【手続補正１】
【補正対象書類名】実用新案登録請求の範囲
【補正対象項目名】全文
【補正方法】変更
【補正の内容】
【実用新案登録請求の範囲】
【請求項１】
４枚のパンチングメタル板を用いた４方向風防であって、
ロの字形状に広げて卓上カセットコンロに装着することが可能であり、
各コーナーと前記パンチングメタル板の内２枚の中央とを丁番状にする事に
よって、折り畳み可能に形成されたことを特徴とする４方向風防。
(57)【要約】      （修正有）【課題】簡単に紐で雑誌等をしっかりと結束することが出来る結束補助具を提供する。【解決手段】結束補助具は中央部から先端が傘状のキノコが十文字に伸びた形状の厚紙または合成樹脂からなる。雑誌３等を縛る紐４をキノコの任意の一つの傘状部分２−１に先端を縛り、雑誌を一回りさせて最初の傘状部分と対称となる反対側の傘状部分２−２に紐を引掛け、結束補助具を押えて紐を引張って締め付け、次にもう一方の対称となるキノコの傘状部分２−３に紐を引掛けて最初の紐と十文字になる様に雑誌を一回りさせて対称となる反対側の傘状部分２−４に紐を引掛け、結束補助具を押えて紐を引張り締め付けて、紐を縛る事により雑誌等をしっかりと結束する。【選択図】図２
0003192920.tif 000002
【実用新案登録請求の範囲】
【請求項１】
中央部から先端が傘状のキノコが十文字に伸びた形状の断面が平らな厚紙または合成樹脂において、雑誌等を縛る紐をキノコの任意の一つの傘状部分に先端を縛り、雑誌を一回りさせて最初の任意の傘状部分と対称となる反対側の傘状部分に紐を引掛け、結束補助具を押えて紐を引張って締め付け、次にもう一方の対称となるキノコの傘状部分に紐を引掛けて最初の紐と十文字になる様に雑誌を一回りさせて対称となる反対側の傘状部分に紐を引掛け、結束補助具を押えて紐を引張り締め付けて、紐を縛る事により雑誌等をしっかりと結束する事を特徴とする雑誌等を紐で縛る時の結束補助具。
【請求項２】
中央部から先端が傘状のキノコが十文字に伸びた形状の断面が円形の合成樹脂において、雑誌等を縛る紐をキノコの任意の一つの傘状部分に先端を縛り、雑誌を一回りさせて最初の任意の傘状部分と対称となる反対側の傘状部分に紐を引掛け、結束補助具を押えて紐を引張って締め付け、次にもう一方の対称となるキノコの傘状部分に紐を引掛けて最初の紐と十文字になる様に雑誌を一回りさせて対称となる反対側の傘状部分に紐を引掛け、結束補助具を押えて紐を引張り締め付けて、紐を縛る事により雑誌等をしっかりと結束する事を特徴とする雑誌等を紐で縛る時の結束補助具。
【考案の詳細な説明】
【技術分野】
【０００１】本考案は雑誌、新聞等を紐で結束する時に使用する結束補助具に関するものである。
【背景技術】
【０００２】従来の雑誌、新聞等を紐で結束する時には、雑誌等を紐で十文字に廻して縛っていた。
【先行技術文献】
【特許文献】
【０００３】
【特許文献１】特開２００５−１７０５０８号
【特許文献１】特開２０１１−２５５９４３号
【考案の概要】
【考案が解決しようとする課題】
【０００４】従来は次のような欠点があった。
雑誌、新聞等を紐で結束する時には、雑誌等を紐で十文字に廻して縛っていたが、紐を締付けるのが難しくて紐が緩みがちになり雑誌等が紐から抜け落ちる事もあった。
本考案は、以上のような従来の欠点を鑑み、雑誌、新聞等を紐で結束する時に使用する結束補助具を提供して簡単に紐で雑誌等をしっかりと結束することが出来る事を目的としている。
【課題を解決するための手段】
【０００５】上記目的を達成するために、本考案は、従来のように手で紐を締付けるのではなく、手で締め付ける時に締め付けるポイントとなる紐が十文字に交差する場所に結束補助具を配置して、その結束補助具を利用して締め付けて紐が緩まないようにする結束補助具を考案することによりこの課題を解決するための手段とする。
【考案の効果】
【０００６】以上の説明から明らかなように、本考案にあっては、手で締め付ける時に締め付けるポイントとなる紐が十文字に交差する場所に結束補助具を配置する事により締付けた紐が緩まないようにすることが可能となった。
【図面の簡単な説明】
【０００７】
【図１】は［請求項１］の結束補助具の平面図
【図２】は［図１］の結束補助具を使って雑誌等を紐で縛る時の参考図
【図３】は［請求項２］の結束補助具の平面図
【図４】は［図３］をイーイから図
【考案を実施するための形態】
【０００８】以下、本考案の実施の形態を図に基づいて説明する。
【実施例１】
【００９】図１は結束補助具の平面図である。
【実施例２】
【００１０】図２は結束補助具で雑誌３を紐４で縛る時の参考図で、最初にキノコの形をした傘状部分２のどれか一つ２−１に紐４を結び、その紐４で雑誌３を一回りさせて対称となる反対側の傘状部分２−２に紐を引掛け、結束補助具を押えて紐４を引張って締め付け、次にもう一方の対称となるキノコの傘状部分２−３に紐４を引掛けて最初の紐４と十文字になる様に雑誌３を一回りさせて対称となる反対側の傘状部分２−４に紐４を引掛け、結束補助具を押えて紐４を引張って締め付ける事により雑誌３等をしっかりと結束する。
【符号の説明】
【００１１】１      結束補助具の中央部
２      キノコの形をした傘状部分
２−１  結束補助具を用いて雑誌等を縛るときの説明をする為の番号
２−２  結束補助具を用いて雑誌等を縛るときの説明をする為の番号
２−３  結束補助具を用いて雑誌等を縛るときの説明をする為の番号
２−４  結束補助具を用いて雑誌等を縛るときの説明をする為の番号
３      結束補助具を用いて縛る時の雑誌等（一点鎖線部、本考案対象外）
４      結束補助具を用いて縛る時の紐（一点鎖線部、本考案対象外）
【図１】
0003192920.tif 000003
【図２】
0003192920.tif 000004
【図３】
0003192920.tif 000005
【図４】
0003192920.tif 000006
(57)【要約】      （修正有）【課題】ひざ掛けを広げるための構造や操作が極簡単であり、また、自動車の空調の噴出口がそのまま使用できるため、装備にコストがかからなく、暖気が足元から上がる対流により膝まで万遍なく均等に暖められる運転席用のひざ掛けを提供する。【解決手段】自動車の座席上で広げられるひざ掛け２と、座席の前方に有する対面壁に予め取り付けられる掛止具３とからなり、対面壁に複数の掛止具で掛けることにより運転席を広く覆うようにひざ掛け可能に構成した。また、対面壁に取り付けられる掛止具に対応して、ひざ掛けには掛止具に止められる被係止具４が前端部に装着されていることを特徴とする。【選択図】図１
0003192035.tif 000002
【実用新案登録請求の範囲】
【請求項１】
自動車の座席上で広げられるひざ掛けと、座席の前方に有する対面壁に予め取り付けられる掛止具とからなり、対面壁に複数の掛止具で掛けることにより運転席を広く覆うようにひざ掛け可能に構成したことを特徴とする運転席用のひざ掛け装置。
【請求項２】
前記対面壁に取り付けられる掛止具に対応して、ひざ掛けには掛止具に止められる被係止具が前端部に装着されていることを特徴とする請求項１記載の運転席用のひざ掛け装置。
【請求項３】
運転席の座席側面にひざ掛けが止められるよう、該面に取り付けられるずれ止め具が付属していることを特徴とする請求項１又は２記載の運転席用のひざ掛け装置。
【考案の詳細な説明】
【技術分野】
【０００１】
この考案は、自動車の主にドライバーが使用する運転席用のひざ掛け装置に関する。
【背景技術】
【０００２】
自動車の運転において、気温が寒いときには、自動車に装備されている空調機を切換え操作するが、噴出口からの温風はひざ元から出てくるだけなので足くびやつま先までを均等に暖めることはできなかった。また、少し日差しが有るときでも同様であった。
【０００３】
この問題を解決するために、従来、ひざ掛けを空気が通るよう布合わせの袋状に形成し、その下布側に空気吹き出し用の多数の孔を設けて構成し、この送気可能なひざ掛けを空調機のダクトに接続することにより、膝に温風が直接かかるようにしたひざ掛け装置が提案される（特許文献１）。これによると、ひざ掛けが不用なときには、巻き取ってインストルメントパネル内に仕舞い得る装置が内装される。
【先行技術文献】
【特許文献】
【０００４】
【特許文献１】特開２００８−３８３０８号公報
【考案の概要】
【考案が解決しようとする課題】
【０００５】
上記のひざ掛け装置によると、使用するときにはバネの弾力に抗して巻き戻して引き出し、使用しないときにはバネの蓄勢弾力で巻き取って仕舞うことができるようにしたものであるが、その装置の構造が非常に複雑でコスト高となることはもちろん、ひざ掛けの出し入れ操作が容易ではなく使用に不便であった。また、暖気が下向きの孔より噴出し膝が直接暖められるが、足元がおろそかになる欠点があった。
【０００６】
この発明は、上記のような実情に鑑みてなされたもので、ひざ掛けを広げるための構造や操作が極簡単であり、また、自動車の空調の噴出口がそのまま使用できるため、装備にコストがかからなく、暖気が足元から上がる対流により膝まで万遍なく均等に暖められる運転席用のひざ掛けを提供することを課題とした。
【課題を解決するための手段】
【０００７】
上記の課題を解決するために、この考案は、自動車の座席上で広げられるひざ掛けと、座席の前方に有する対面壁に予め取り付けられる掛止具とからなり、対面壁に複数の掛止具で掛けることにより運転席を広く覆うようにひざ掛け可能に構成したことを特徴とする運転席用のひざ掛け装置を提供する。
【０００８】
ひざ掛けセットを上記のように構成したから、対面壁に掛止具を常時取り付けておき、必要なときにひざ掛けをそれに掛けることにより膝上に広げて使用する。
【考案の効果】
【０００９】
以上説明したように、この考案によれば、ひざ掛けを広げるための構造や操作が極簡単であり、また、安価に提供でき、しかも、暖気が足元から上がる対流により膝まで万遍なく充満し、膝から下が均等に温まるので快適に使用でき、また、運転に何ら支障なくひざ掛けを保持できるという優れた効果がある。
【図面の簡単な説明】
【００１０】
【図１】この考案のひざ掛け装置を使用要領において示す斜視図である。
【図２】ひざ掛け装置の使用状態を簡略に示す模式図である。
【図３】同ひざ掛け装置における掛止具を示す斜視図である。
【図４】別の掛止具を示す斜視図である。
【図５】別の掛止具を示す斜視図である。
【考案を実施するための形態】
【００１１】
この考案によれば、ひざ掛けの先端部を対面壁に引っ掛けるために掛止具を使用するが、その構造ないし形態は特に限定するものではなく様々となり得る。なお、この考案のひざ掛け装置は、運転席以外の座席にも使用可能である。
【実施例】
【００１２】
図１ないし図３は、一実施例を示したもので、そのひざ掛け装置Ｐは、座席６からその前方の対面壁８（インストルメントパネル）までの間を塞ぐように膝上に広げられるひざ掛け２と、左右一対の掛止具３，３及び被係止具４，４と、左右一対のずれ止め具５，５とから構成されている。なお、１０は自動車の空気噴出口である。
【００１３】
ひざ掛け２は、毛布、キルティング素地などがその素材として使用され、広さは例えば９０ｃｍ四方程度である。前端部を対面壁８の掛止具３，３に掛けることになるために、ひざ掛け２の前端部にそれに引っかかる被係止具４，４が取り付けられる。
【００１４】
この場合、掛止具３は、ベルベット式ファスナーテープの一方のフック形態のテープとなし、被係止具４がループ形態のテープであって、対面壁８には粘着裏面により所定の個所に貼り付けられる。被係止具４はひざ掛け２に縫い付けられる。しかし、ひざ掛けの素地そのものがループ起毛面であるならば、そのままでフック形態の掛止具３に止められるので、被係止具４は不要であり省くことができる。
【００１５】
図４は、掛止具３、３および被係止具４，４についての別の実施例を示し、掛止具３は、粘着基板１１にフック１３を突設した構造であって、所定箇所に粘着でき裏面に剥離紙が貼り付けられる。また、被係止具４としてフック１３が掛かる鳩目がひざ掛け２に形成される。
【００１６】
図５は、掛止具３および被係止具４としてタッチホックを使用したもので、掛止具３は、粘着基板１５に膨大した雄部１７が突設され、被係止具４は雄部１７が嵌り込む雌型に形成される。これによると、被係止具４を掛止具３に押しつけるだけで結合でき、また、引くだけで取り外すことができる。
【符号の説明】
【００１７】
Ｐ  運転席用のひざ掛け装置
２  ひざ掛け
３  掛止具
４  被係止具
５  ずれ止め具
６  座席
８  対面壁
【図１】
0003192035.tif 000003
【図２】
0003192035.tif 000004
【図３】
0003192035.tif 000005
【図４】
0003192035.tif 000006
【図５】
0003192035.tif 000007